(57)【要約】  時間分割二重化（ＴＤＤ）基盤の直交周波数分割多重接続（ＯＦＤＭＡ）システムにおける基地局（ＢＳ）が制御情報を送信する方法を提供する。上記方法は、ＴＤＤ比率値を決定するステップと、所定の時間間隔の連続した順方向リンク（ＦＬ）タイムスロットの個数を連続した逆方向リンク（ＲＬ）タイムスロットの個数で割ることにより得られた値が正の整数ではない場合には、移動端末（ＭＳ）を複数のグループにグルーピングし、グループインデックス情報を生成するステップと、上記ＴＤＤ比率値及び上記グループインデックス情報を含む制御情報を上記移動端末に送信するステップとを具備する。
2010537545.tif 000002
【特許請求の範囲】
【請求項１】
時間分割二重化（ＴＤＤ）基盤の直交周波数分割多重接続（ＯＦＤＭＡ）システムにおける基地局（ＢＳ）が制御情報を送信する方法であって、
ＴＤＤ比率値を決定するステップと、
所定の時間間隔の連続した順方向リンク（ＦＬ）タイムスロットの個数を連続した逆方向リンク（ＲＬ）タイムスロットの個数で割ることにより得られた値が正の整数ではない場合には、前記移動端末（ＭＳ）を複数のグループにグルーピングし、グループインデックス情報を生成するステップと、
前記ＴＤＤ比率値及び前記グループインデックス情報を含む制御情報を前記移動端末に送信するステップと
を具備することを特徴とする方法。
【請求項２】
前記ＴＤＤ比率値は、所定の時間間隔の間にＦＬ及びＲＬを介して送信されたデータの量に従って各リンクに割り当てられるタイムスロットの個数の比率を含むことを特徴とする請求項１に記載の方法。
【請求項３】
前記所定の時間間隔の連続したＦＬタイムスロットの個数を連続したＲＬタイムスロットの個数で割ることにより得られた値が正の整数でない場合に、移動端末グルーピング指示情報を所定数のビットのシグナリングを介して前記移動端末に知らせるステップをさらに含むことを特徴とする請求項１に記載の方法。
【請求項４】
前記グループインデックス情報は、各移動端末がどのグループに属しているかを示す情報を含むことを特徴とする請求項１に記載の方法。
【請求項５】
前記所定の時間間隔は、前記連続したＦＬタイムスロットの個数と前記連続したＲＬタイムスロットの個数との和を含むことを特徴とする請求項１に記載の方法。
【請求項６】
時間分割二重化（ＴＤＤ）基盤の直交周波数分割多重接続（ＯＦＤＭＡ）システムにおける移動端末（ＭＳ）が肯定応答（ＡＣＫ）／否定応答（ＮＡＣＫ）を送信する方法であって、
ＴＤＤ比率値及びグルーピングインデックス情報を基地局（ＢＳ）から受信するステップと、
前記ＴＤＤ比率値及び前記グループインデックス情報に従って所定の時間間隔の連続した逆方向リンク（ＲＬ）タイムスロットに割り当てられたＡＣＫ／ＮＡＣＫ送信比率を決定するステップと、
前記決定されたＡＣＫ／ＮＡＣＫ送信比率に従って前記所定の時間間隔の連続した順方向リンク（ＦＬ）タイムスロットを介して送信されたデータに関するＡＣＫ／ＮＡＣＫ情報を前記連続したＲＬタイムスロットを介して送信するステップとを具備し、
前記連続したＲＬタイムスロットは、各グループ別に前記連続したＲＬタイムスロットに割り当てられたＡＣＫ／ＮＡＣＫ情報を均等に送信することを特徴とする方法。
【請求項７】
前記連続したＲＬタイムスロットは、前記連続したＲＬタイムスロットが送信したＡＣＫ／ＮＡＣＫ情報に対応するＦＬタイムスロットのインターレースインデックスに従って前記連続したＦＬタイムスロットを介して送信されたデータに関するＡＣＫ／ＮＡＣＫ情報を送信することを特徴とする請求項６に記載の方法。
【請求項８】
前記ＴＤＤ比率値は、前記所定の時間間隔の間にＦＬ及びＲＬを介して送信されたデータの量に従って各リンクに割り当てられたタイムスロットの個数の比率を含むことを特徴とする請求項６に記載の方法。
【請求項９】
前記グループインデックス情報は、各移動端末がどのグループに属しているかを示す情報を含むことを特徴とする請求項６に記載の方法。
【請求項１０】
時間分割二重化（ＴＤＤ）基盤の直交周波数分割多重接続（ＯＦＤＭＡ）システムにおける移動端末（ＭＳ）が肯定応答（ＡＣＫ）／否定応答（ＮＡＣＫ）を送信する方法であって、
ＴＤＤ比率値を基地局（ＢＳ）から受信するステップと、
所定の時間間隔の連続した順方向リンク（ＦＬ）タイムスロットの個数を連続した逆方向リンク（ＲＬ）タイムスロットの個数で割ることにより得られた値が正の整数でない場合に、前記連続したＲＬタイムスロットが前記ＲＬタイムスロットに対応するＦＬタイムスロットを介して送信されたデータに関するＡＣＫ／ＮＡＣＫ情報を移動端末に均等に送信するようにするステップと
を具備することを特徴とする方法。
【請求項１１】
前記ＲＬタイムスロットが送信したＡＣＫ／ＮＡＣＫ情報に対応するＦＬタイムスロットのインターレースインデックスを介してＡＣＫ／ＮＡＣＫ情報を送信するステップをさらに含むことを特徴とする請求項１０に記載の方法。
【請求項１２】
時間分割二重化（ＴＤＤ）基盤の直交周波数分割多重接続（ＯＦＤＭＡ）システムにおける基地局（ＢＳ）が制御情報を送信する装置であって、
所定の時間間隔の連続した順方向リンク（ＦＬ）タイムスロットの個数を連続した逆方向リンク（ＲＬ）タイムスロットの個数で割ることにより得られた値を示すＴＤＤ比率値を決定し、前記所定の時間間隔の連続した順方向リンク（ＦＬ）タイムスロットの個数を連続した逆方向リンク（ＲＬ）タイムスロットの個数で割ることにより得られた値が正の整数でない場合に、移動端末（ＭＳ）を複数のグループにグルーピングし、グループインデックス情報を生成する変調部と、
前記ＴＤＤ比率値及び前記グループインデックス情報を含む制御情報を前記移動端末に送信する送信部と
を具備することを特徴とする装置。
【請求項１３】
前記所定の時間間隔は、前記連続したＦＬタイムスロットの個数と前記連続したＲＬタイムスロットの個数との和を含むことを特徴とする請求項１２に記載の装置。
【請求項１４】
前記グループインデックス情報は、各移動端末がどのグループに属しているかを示す情報を含むことを特徴とする請求項１２に記載の装置。
【請求項１５】
時間分割二重化（ＴＤＤ）基盤の直交周波数分割多重接続（ＯＦＤＭＡ）システムにおける移動端末（ＭＳ）が肯定応答（ＡＣＫ）／否定応答（ＮＡＣＫ）を送信する装置であって、
所定の時間間隔の間に順方向リンク（ＦＬ）及び逆方向リンク（ＲＬ）を介して送信されたデータの量に従って各リンクに割り当てられたタイムスロットの個数の比率を示すＴＤＤ比率値及びグルーピングインデックス情報を基地局（ＢＳ）から受信する受信部と、
前記ＴＤＤ比率値及び前記グループインデックス情報に従って連続したＲＬタイムスロットに割り当てられたＡＣＫ／ＮＡＣＫ送信比率を決定し、前記決定されたＡＣＫ／ＮＡＣＫ送信比率に従って連続したＦＬタイムスロットを介して送信されたデータに関するＡＣＫ／ＮＡＣＫ情報を割り当てる割り当て部と、
前記割り当てられたＡＣＫ／ＮＡＣＫ情報を前記連続したＲＬタイムスロットを介して送信する送信部とを具備し、
前記連続したＲＬタイムスロットは、各グループ別に前記連続したＲＬタイムスロットに割り当てられたＡＣＫ／ＮＡＣＫ情報を均等に送信することを特徴とする装置。
【請求項１６】
前記連続したＲＬタイムスロットは、前記連続したＲＬタイムスロットが送信したＡＣＫ／ＮＡＣＫ情報に対応するＦＬタイムスロットのインターレースインデックスに従って前記連続したＦＬタイムスロットを介して送信されたデータに関するＡＣＫ／ＮＡＣＫ情報を送信することを特徴とする請求項１５に記載の装置。
【請求項１７】
前記ＴＤＤ比率値は、前記所定の時間間隔の間にＦＬ及びＲＬを介して送信されたデータの量に従って各リンクに割り当てられたタイムスロットの個数の比率を含むことを特徴とする請求項１５に記載の装置。
【請求項１８】
前記グループインデックス情報は、各移動端末がどのグループに属しているかを示す情報を含むことを特徴とする請求項１５に記載の装置。
【発明の詳細な説明】
【技術分野】
【０００１】
本発明は、直交周波数分割多重接続（Orthogonal Frequency Division Multiple Access：以下、“ＯＦＤＭＡ”と称する。）方式の移動通信システムに関し、特に、時間分割二重化（Time Division Duplexing：以下、“ＴＤＤ”と称する。）基盤のＯＦＤＭＡシステムにおいて逆方向リンクを介してＡＣＫ／ＮＡＣＫ情報を送信する方法及び装置に関する。
【背景技術】
【０００２】
直交周波数分割多重化（Orthogonal Frequency Division Multiple：以下、“ＯＦＤＭ”と称する。）は、デジタルオーディオブロードキャスティング（Digital Audio Broadcasting：以下、“ＤＡＢ”と称する。）、デジタルビデオブロードキャスティング（Digital Video Broadcasting：以下、“ＤＶＢ”と称する。）、無線近距離通信網（Wireless Local Area Network：以下、“ＷＬＡＮ”と称する。）、及び無線非同期転送モード（Wireless Asynchronous Transfer Mode：以下、“ＷＡＴＭ”と称する。）などのようなデジタル送信技術に幅広く適用されている。特に、周波数スペクトルをオーバーラップするＯＦＤＭ方式は、高い周波数効率を有し、周波数選択性フェージング（frequency selective fading）及び多重経路フェージングに強い。また、ＯＦＤＭ方式は、保護間隔を用いてシンボル間干渉（Inter Symbol Interference：以下、“ＩＳＩ”と称する。）を減少させることができ、ハードウェア的に等化器構成を簡素に設計することが可能である。したがって、最近では、無線チャネルで高速データ送信に適合したＯＦＤＭ方式に基づく直交周波数分割多重接続（Orthogonal Frequency Division Multiple Access：以下、“ＯＦＤＭＡ”と称する。）方式を非同期及び同期セルラー移動通信標準団体である３ＧＰＰ（３rd Generation Partnership Project）及び３ＧＰＰ２（３rd Generation Partnership Project ２）を中心に次世代移動通信システムの多重接続方式として研究している。
【０００３】
ＯＦＤＭＡシステムにおいて、無線リソースは、図１に示したように時間及び周波数領域の２次元配列で表現されることができる。図１において、横軸は、時間領域を示し、縦軸は、周波数領域を示すため、１つのリソースユニットは、時間及び周波数でなされた１つの正方形として表現されることができる。すなわち、周波数領域において、１つの正方形の間は、１つのサブキャリアを示し、時間領域において、１つの間は、１つのＯＦＤＭシンボルを示す。例えば、８つのＯＦＤＭシンボルは、１つの物理フレームを構成し、このようなフレームは、ＯＦＤＭＡシステムにおいて基地局（Base Station：以下、“ＢＳ”と称する。）から移動端末（Mobile Station：以下、“ＭＳ”と称する。）に送信される順方向リンクチャネルの送信時間間隔（Transmission Time Interval：以下、“ＴＴＩ”と称する。）として定義することができる。
【０００４】
例えば、図１において、時間領域では、８個のＯＦＤＭシンボルで構成され、周波数領域では、１６個のサブキャリアで構成された１つのリソースユニットを‘タイル（tile）’として定義し、このタイルは、移動端末をスケジューリングする過程でデータ送信のために割り当てられるリソース割り当て単位となる。図１は、５ＭＨｚのシステム帯域幅が３２個のタイルで構成されることを示す。
【０００５】
一方、順方向リンク（Forward-link：以下、“ＦＬ”と称する。）及び逆方向リンク（Reverse-link：以下、“ＲＬ”と称する。）を識別する方式の１つであるＴＤＤは、現在の無線広帯域（ＷｉＢｒｏ）のような２．３ＧＨｚ帯域の携帯インターネット方式に適用され研究されており、ウルトラモバイルブロードバンド（Ultra Mobile Broadband：ＵＭＢ）システムでも考慮されている。
【０００６】
ＴＤＤ方式は、ＢＳ及びＭＳがデータを送信するにあたり同一の周波数帯域を使用することにより周波数使用効率を増加させる。さらに、基地局及び移動端末は、相互に異なる時間スロットを割り当てることにより双方向送信をサポートする方式である。所定の時間間隔の間にＦＬ及びＲＬを介して送信されたデータの量に従って各リンクに割り当てられるタイムスロットの個数が変わることがあり、これをＴＤＤ比率として表現することができる。ここで、所定の時間間隔は、連続的なＦＬタイムスロットの個数と連続的なＲＬタイムスロットの個数との和として定義される。実際のデータ送信は、上記のように定義された所定の時間間隔が継続して反復される時間領域でなされる。
【０００７】
例えば、１：１の比率を有するＴＤＤシステムは、所定の時間間隔の間にＦＬ及びＲＬに割り当てられるタイムスロットの量が同一である。ＦＬ及びＲＬリンクが時間領域で交互に動作する場合には、所定の時間間隔は、２個のタイムスロットに対応する時間であるので、１個のＦＬタイムスロット及び１個のＲＬタイムスロットは、対応する時間間隔で存在する。
【０００８】
一方、時間間隔が４個の連続的なＦＬタイムスロットと４個の連続的なＲＬタイムスロットとの和として定義される場合にも、対応する時間間隔の間にＦＬ及びＲＬに割り当てられるタイムスロットの個数が同一であるために、１：１のＴＤＤ比率を有すると見なされることができる。
【０００９】
図２は、ＴＤＤ比率が２：１である場合に対して連続的なＦＬタイムスロットが２個で構成され、連続的なＲＬタイムスロットが１個で構成されるタイムラインを示す図である。
【００１０】
横軸は、時間領域を示し、矢印で表示された正方形は、１個のタイムスロットを示し、例えば、８個のＯＦＤＭシンボルで構成された１つの物理的な（ＰＨＹ）フレームを意味する。上方向から下方向への矢印を有するフレームは、ＦＬのために割り当てられたタイムスロットを示し、下方向から上方向への矢印を有するフレームは、ＲＬのために割り当てられたタイムスロットを示す。０から５までの数字は、インターレースインデックス（interlace index）を表現し、図２に示したように６個のインターレースが順方向に存在するので、ハイブリッド自動再送要求（ＨＡＲＱ）をサポートするシステムは、初期パケット送信時間から再送信時間直前までの時間間隔であるラウンドトリップタイム（ＲＴＴ）内に６個の新たなパケットを送信することができる。例えば、ＢＳがインターレース＃０（第１のタイムスロット）を介して新たなパケットの第１のサブパケットを送信し、ＭＳがこのサブパケットに対する復調に失敗すると、ＢＳは、その次のインターレース＃０（第１０のタイムスロット）で対応するパケットの第２のサブパケットを再送信する。すなわち、ＨＡＲＱシステムにおいて、初期送信から再送信前までの時間を示すＦＬ ＲＴＴは、９個のＴＴＩとなる。
【００１１】
ＨＡＲＱ（Hybrid ARQ）は、一般に、パケット基盤の移動通信システムにおいてデータ送信信頼度及びデータ歩留まり（throughput）を高めるために使用される自動再送要求（Automatic Repeat Request：以下、“ＡＲＱ”と称する。）技術と順方向エラー訂正（Forward Error Correction：以下、“ＦＥＣ”）技術とを組み合わせた技術である。受信器は、受信されたこのデータに対して所定のＦＥＣ逆過程を行った後に、復号化されたデータに対してサイクリックリダンダンシーチェック（ＣＲＣ）検査を用いてエラーが存在するか否かを判定する。ＣＲＣ検査の結果、エラーが存在しない場合に、受信器は、肯定応答（ＡＣＫ）を送信器にフィードバックすることにより、送信器が次のデータパケットを送信するようにする。しかしながら、ＣＲＣ検査の結果、任意のエラーが存在する場合に、受信器は、ＮＡＣＫ（否定応答）を送信器にフィードバックすることにより、送信器が前に送信されたパケットを再送信するようにする。
【００１２】
ＲＬに割り当てられたタイムスロットを介して、ＲＬデータだけでなく、ＦＬデータに関するＡＣＫ／ＮＡＣＫ情報及びチャネル品質指示（ＣＱＩ）情報などが送信される。図２は、斜線を引いたインターレース＃０及び＃１を介して送信されたＦＬデータに関するＡＣＫ／ＮＡＣＫ情報が逆方向に斜線を引いた第２のＲＬタイムスロット（第６のタイムスロット）を介して送信されることを示す。すなわち、ＴＤＤ比率が２：１であるため、２個のＦＬタイムスロットに対するＡＣＫ／ＮＡＣＫは、１個のＲＬタイムスロットを介して送信される。ＲＬを介して送信されたＡＣＫ／ＮＡＣＫ情報により再送信が必要な場合に、再送信は、次のインターレース＃０及びインターレース＃１を介してなされる。図２に示すように、ＦＬタイムスロットを介してデータを送信する時点と、ＡＣＫ／ＮＡＣＫがＲＬを介して受信される時点と、ＦＬを介して再送信がなされる時点との間には、複数のタイムスロットに対応する時間間隔が存在し、これは、ＢＳとＭＳとの間の伝播遅延、及び変調／復調及び符号化／復号化を行うのにかかる実質的な処理時間を考慮したのである。
【００１３】
この際に、ＦＬデータに関するＡＣＫ／ＮＡＣＫ情報のために割り当てられたリソースは、ＦＬデータを送信するのに使用された物理的なリソースに暗黙的に（implicitly）マッピングされたリソースであることもあり、又はレイヤー１（Ｌ１）／レイヤー２（Ｌ２）シグナリング又は上位レイヤーシグナリングを介して明示的に（explicitly）示されたリソースであることもある。例えば、３２個のタイルを有する５ＭＨｚシステムにおいて、３２個のタイルのすべてが任意のインターレースを介してデータ送信のために使用される場合に、最大３２ビットのＡＣＫ／ＮＡＣＫ情報は、ＲＬタイムスロットで送信されることができ、時間領域で連続した２つのＦＬインターレースを介してデータを送信する場合に、合計６４ビットのＡＣＫ／ＮＡＣＫ情報が必要とされる。
【００１４】
ＡＣＫ／ＮＡＣＫ送信において、例えば、ＵＭＢシステムにおけるように時間領域内の８つのＯＦＤＭシンボル及び周波数領域内の８つのサブキャリアを考慮したリソース単位としてのハーフタイル（half-tile）が３２ビットを送信することができると、必要なＡＣＫ／ＮＡＣＫ情報の量が３２ビットである場合には、この１つのハーフタイルを用いて送信されることができる。この際に、ＡＣＫ／ＮＡＣＫ信号に対して反復送信が４回行われることにより周波数ダイバーシティ利得が得られる場合に、全周波数帯域にわたって４個のハーフタイルが使用される。したがって、リソース量の観点から、２個のタイルは、ＡＣＫ／ＮＡＣＫ送信のために使用される。また、ランクが４である多入力多出力（Multiple-Input Multiple-Output：ＭＩＭＯ）システムの場合に、合計２＊４＝８つのタイルがＡＣＫ／ＮＡＣＫ送信に必要とされる。
【００１５】
一方、所定の時間間隔の間にＦＬ送信のために割り当てられたタイムスロットの個数とＲＬ送信のために割り当てられたタイムスロットの個数との比が３：２であるＴＤＤシステムにおいて、３つのＦＬタイムスロットを介して送信されたデータに関するＡＣＫ／ＮＡＣＫ情報は、２個のＲＬタイムスロットを介してＢＳに送信されなければならない。このように、複数のＦＬタイムスロットに対応するＲＬ送信が複数のタイムスロットで構成され、ＦＬタイムスロットの個数がＲＬタイムスロットの個数では割り切れないため、各ＲＬタイムスロットを介して送信されたＡＣＫ／ＮＡＣＫ情報の量が異なって割り当てられる場合に、ＦＬデータ送信に関するＡＣＫ／ＮＡＣＫ情報は、非均等な量で各ＲＬタイムスロットに分配された後に送信される。すなわち、３：２ＴＤＤシステムにおいて、ＦＬデータ送信に対応するＡＣＫ／ＮＡＣＫ情報は、２：１又は１：２の割合で２個のＲＬタイムスロットに乗せられる。例えば、ＡＣＫ／ＮＡＣＫ情報が２：１の割合で送信される場合に、最大３２個のタイルは、インターレースごとにデータ送信に割り当てられることができる。したがって、ＭＩＭＯが考慮されない場合には、３２＊３＝９６ビットのＡＣＫ／ＮＡＣＫ情報は、２個のＲＬタイムスロットを介して送信されなければならない。したがって、２：１の比率が使用されると、２個のＦＬインターレースに対応する６４ビットのＡＣＫ／ＮＡＣＫは、第１のＲＬタイムスロットを介して送信され、１個のＦＬインターレースに対応する３２ビットのＡＣＫ／ＮＡＣＫは、第２のＲＬタイムスロットを用いて送信される。
【００１６】
この場合に、少ないＡＣＫ／ＮＡＣＫ情報を送信するタイムスロットに比べて、さらに多くのＡＣＫ／ＮＡＣＫ情報を送信するＲＬタイムスロットは、ＡＣＫ／ＮＡＣＫ情報による他の情報の送信に制限を加える。上述したように、ＲＬタイムスロットには、ＡＣＫ／ＮＡＣＫ情報だけでなく、データ及びＣＱＩ情報も送信されることができる。したがって、多い量のＡＣＫ／ＮＡＣＫ情報がＲＬタイムスロットを介して送信される場合には、使用可能なリソースの量が減少されるので、対応するＲＬタイムスロットでＡＣＫ／ＮＡＣＫ以外の他の情報の送信のためのリソース割り当てに制限を加える。また、ランクが２以上であるＭＩＭＯシステムにおいて、送信されるべきＡＣＫ／ＮＡＣＫ情報の量がランク値に比例して増加するので、データ又はＣＱＩ情報が送信されることができるリソースの量が格段に減少することによりＡＣＫ／ＮＡＣＫ以外の情報の送信に大きい制限を加える。この場合に、送信器は、ＡＣＫ／ＮＡＣＫ以外のＲＬデータ又はＣＱＩの送信において次のＲＬタイムスロットを使用しなければならないため、特に、ＲＬデータ送信のＲＴＴを増加させる問題点があった。
【発明の概要】
【発明が解決しようとする課題】
【００１７】
したがって、本発明は、上述した従来技術の問題点を解決するために提案されたものであり、その目的は、時間分割二重化（ＴＤＤ）基盤の直交周波数分割多重接続（ＯＦＤＭＡ）システムにおいてＡＣＫ／ＮＡＣＫ以外の情報の送信に対する制限を最小化することができるようにＡＣＫ／ＮＡＣＫ信号を送信する方法及び装置を提供することにある。
【００１８】
本発明の他の目的は、ＦＬタイムスロットに対応するＲＬタイムスロットに割り当てられるＡＣＫ／ＮＡＣＫ情報の量を決定することによりＡＣＫ／ＮＡＣＫ情報を送信する方法及び装置を提供することにある。
【００１９】
本発明のまた他の目的は、ＦＬタイムスロットに対応するＲＬタイムスロットに割り当てられるＡＣＫ／ＮＡＣＫ情報の量を均等に決定することによりロードバランシング効果を増大させる方法及び装置を提供することにある。
【課題を解決するための手段】
【００２０】
上記のような目的を達成するために、本発明の一態様によれば、時間分割二重化（ＴＤＤ）基盤の直交周波数分割多重接続（ＯＦＤＭＡ）システムにおける基地局（ＢＳ）が制御情報を送信する方法を提供する。上記方法は、ＴＤＤ比率値を決定するステップと、所定の時間間隔の連続した順方向リンク（ＦＬ）タイムスロットの個数を連続した逆方向リンク（ＲＬ）タイムスロットの個数で割ることにより得られた値が正の整数ではない場合には、上記移動端末（ＭＳ）を複数のグループにグルーピングし、グループインデックス情報を生成するステップと、上記ＴＤＤ比率値及び上記グループインデックス情報を含む制御情報を上記移動端末に送信するステップとを具備することを特徴とする。
【００２１】
本発明の他の態様によれば、時間分割二重化（ＴＤＤ）基盤の直交周波数分割多重接続（ＯＦＤＭＡ）システムにおける移動端末（ＭＳ）が肯定応答（ＡＣＫ）／否定応答（ＮＡＣＫ）を送信する方法を提供する。上記方法は、ＴＤＤ比率値及びグルーピングインデックス情報を基地局（ＢＳ）から受信するステップと、上記ＴＤＤ比率値及び上記グループインデックス情報に従って所定の時間間隔の連続した逆方向リンク（ＲＬ）タイムスロットに割り当てられたＡＣＫ／ＮＡＣＫ送信比率を決定するステップと、上記決定されたＡＣＫ／ＮＡＣＫ送信比率に従って上記所定の時間間隔の連続した順方向リンク（ＦＬ）タイムスロットを介して送信されたデータに関するＡＣＫ／ＮＡＣＫ情報を上記連続したＲＬタイムスロットを介して送信するステップとを具備し、上記連続したＲＬタイムスロットは、各グループ別に上記連続したＲＬタイムスロットに割り当てられたＡＣＫ／ＮＡＣＫ情報を均等に送信することを特徴とする。
【００２２】
本発明のさらに他の態様によれば、 時間分割二重化（ＴＤＤ）基盤の直交周波数分割多重接続（ＯＦＤＭＡ）システムにおける移動端末（ＭＳ）が肯定応答（ＡＣＫ）／否定応答（ＮＡＣＫ）を送信する方法を提供する。上記方法は、ＴＤＤ比率値を基地局（ＢＳ）から受信するステップと、所定の時間間隔の連続した順方向リンク（ＦＬ）タイムスロットの個数を連続した逆方向リンク（ＲＬ）タイムスロットの個数で割ることにより得られた値が正の整数でない場合に、上記連続したＲＬタイムスロットが上記ＲＬタイムスロットに対応するＦＬタイムスロットを介して送信されたデータに関するＡＣＫ／ＮＡＣＫ情報を移動端末に均等に送信するようにするステップとを具備することを特徴とする。
【発明の効果】
【００２３】
本発明は、ＴＤＤ基盤のＯＦＤＭＡシステムにおいて、ＲＬを介してＡＣＫ／ＮＡＣＫ情報を効率的に送信することによりＡＣＫ／ＮＡＣＫ以外の情報のＲＬ送信に対する制約を減少させることができる。
【００２４】
また、本発明は、ＲＬタイムスロットを介してＡＣＫ／ＮＡＣＫを送信するにあたり、ＡＣＫ／ＮＡＣＫ情報とＲＬタイムスロットとの間の適切なマッピングを介してロードバランシング効果を達成することにより、ＡＣＫ／ＮＡＣＫ以外の情報のＲＬ送信に対する制約を減少させることができる。
【図面の簡単な説明】
【００２５】
【図１】ＯＦＤＭＡシステムにおける無線リソースを示す図である。
【図２】ＴＤＤ比率が２：１である場合のタイムラインを示す図である。
【図３】本発明の第１の実施形態によるＴＤＤ基盤のＯＦＤＭＡシステムにおけるＲＬタイムスロットを介してＡＣＫ／ＮＡＣＫ情報を送信する方法を示す図である。
【図４】本発明の第２の実施形態によるＴＤＤ基盤のＯＦＤＭＡシステムにおけるＲＬタイムスロットを介してＡＣＫ／ＮＡＣＫ情報を送信する方法を示す図である。
【図５】本発明の実施形態による送信器の動作を示すフローチャートである。
【図６】本発明の実施形態による受信器の動作を示すフローチャートである。
【図７】本発明の実施形態による送信器の構成を示すブロック図である。
【図８】本発明の実施形態による受信器の構成を示すブロック図である。
【発明を実施するための形態】
【００２６】
以下、本発明の好適な一実施形態を添付図面を参照しつつ詳細に説明する。下記の説明において、本発明の要旨のみを明瞭にする目的で、関連した公知の機能または構成に関する具体的な説明は省略する。そして、後述する用語は、本発明での機能を考慮して定義された用語であり、これは、ユーザ及び運用者の意図又は慣例に従って変わっても良い。従って、これらの定義は、本発明の全体の内容に基づいて定義されなければならない。
【００２７】
図３は、本発明の第１の実施形態によるＴＤＤ基盤のＯＦＤＭＡシステムにおけるＲＬタイムスロットを介してＡＣＫ／ＮＡＣＫ情報を送信する方法を示す図である。
【００２８】
ＴＤＤ比率値からＦＬタイムスロットの個数がＲＬタイムスロットの個数で割り切れない場合には、提案された方法は、すべてのＭＳの個数をＲＬタイムスロットの個数だけのグループに分ける（グルーピングする）。すなわち、図３を参照すると、ＴＤＤ比率を３：２と仮定するので、３個のＦＬタイムスロットに対応するＲＬタイムスロットの個数は２である。したがって、ＢＳは、ＭＳを２個のグループに分ける。ここで、グルーピングターゲットＭＳは、セル又はセクタ内に存在しているすべてのＭＳであってもよく、又はＢＳからＭＳへのデータ送信のためにスケジューリングを必要とするＭＳに制限されてもよい。実際のロードバランシング（load balancing）効果のために、本発明は、スケジューリングを必要とする総ＭＳの個数を考慮するようにする。
【００２９】
図３に示すように、ＢＳが連続したＦＬインターレースに対してスケジューリングを行うＭＳに対するグルーピングは、例えば、次の方式に従って決定されることができる。
【００３０】
１．プレフィックス方式：このような方式は、媒体アクセス制御識別子（ＭＡＣ ＩＤ）値に基づいてＭＳ別に分ける（すなわち、グルーピングする）。例えば、ＭＳのＭＡＣＩＤ値が偶数である場合には、ＭＳは、グループ０に含まれており、ＭＳのＭＡＣＩＤ値が奇数である場合には、グループ１に含まれている。
【００３１】
２．ＢＳは、ＭＳ別に、対応するＭＳが属するグループを決定する。すなわち、ＢＳは、ＦＬグラント又は上位レイヤーシグナリングを介してＭＳグループに関する情報をＭＳにシグナリングする。例えば、１ビット情報を用いてグループインデックスが０であるグループ情報を受信したＭＳは、グループ０に含まれ、グループインデックスが１であるグループ情報を受信したＭＳは、グループ１に含まれる。
【００３２】
図３において、ＦＬタイムスロットの上に括弧に入れられない数字は、ＦＬインターレースインデックスを示し、６個のインターレースが存在する。例えば、インターレース＃４（第７のタイムスロット）で送信された新たなパケットは、時間領域でその次の同一のインターレース＃４（第１７のタイムスロット）で再送信を行う。
【００３３】
ＲＬタイムスロットの上に括弧に入れられた数字は、対応するＲＬタイムスロットが送信したＡＣＫ／ＮＡＣＫ情報に対応するＦＬタイムスロットのインターレースインデックスを示す。例えば、（０，１）は、ＦＬインターレース＃０及びインターレース＃１を介して送信されたデータパケットに関するＡＣＫ／ＮＡＣＫ情報が対応するＲＬタイムスロットを用いて送信されることを意味する。任意のＲＬタイムスロットがＦＬインターレースインデックス０及び１にマッピングされ、実質的にＢＳとＭＳとの間の伝播遅延及び変調／復調及び符号化／復号化を行うのに必要とする処理時間を考慮すると、対応するＲＬタイムスロットは、直前のＦＬインターレース＃０及び＃１でなく、前の第２のＦＬインターレース＃０及び＃１を介して送信されたデータに関するＡＣＫ／ＮＡＣＫ情報を送信する。本発明では、任意のＲＬタイムスロットが送信するＡＣＫ／ＮＡＣＫ情報に対応するＦＬインターレースの時間領域での実際のマッピングは省略する。すなわち、ＲＬ ＡＣＫ／ＮＡＣＫ情報とこれに関連したＦＬインターレースインデックスとのマッピングだけを考慮する。
【００３４】
図３を参照すると、グループ０に属しているＭＳは、図３の上の図面（グループ０内のＭＳ）に示すように、連続した２個のＲＬタイムスロットの中で第１のタイムスロットを介して３個のＦＬインターレースの中で最初の２個のインターレースに関するＡＣＫ／ＮＡＣＫ情報を送信し、第２のＲＬタイムスロットを介して残りの１個のＦＬインターレースに関するＡＣＫ／ＮＡＣＫ情報を送信する。
【００３５】
一方、グループ１に属しているＭＳは、図３の下の図面（グループ１内のＭＳ）に示すように、連続した２個のＲＬタイムスロットの中で第２のタイムスロットを介して３個のＦＬインターレースの中で最後の２個のインターレースに関するＡＣＫ／ＮＡＣＫ情報を送信し、第１のＲＬタイムスロットを介して最初の１個のＦＬインターレースに関するＡＣＫ／ＮＡＣＫ情報を送信する。１つのグループの観点から、従来の技術におけるように連続したＲＬタイムスロット間のＡＣＫ／ＮＡＣＫ情報の量が均一でなくても、上述したように、ＭＳに対してグルーピングを行うことにより各ＲＬタイムスロットが送信する平均的なＡＣＫ／ＮＡＣＫ情報の量は、ほぼ同一となることができる。
【００３６】
例えば、データが３個のインターレースを介して送信され、すべてのリソースがインターレースごとにデータ送信に使用されると、最大３２＊３＝９６ビットのＡＣＫ／ＮＡＣＫ情報がＲＬを介して送信されなければならない。スケジューリングすべきＭＳの個数が２０である場合に、グループ０に属している１０個のＭＳは、第１のＲＬタイムスロットを介してさらに多くのＡＣＫ／ＮＡＣＫ情報を送信しなければならず、グループ１に属している残りの１０個のＭＳは、第２のＲＬタイムスロットを介してさらに多くのＡＣＫ／ＮＡＣＫ情報を送信しなければならない。
【００３７】
したがって、各グループが送信すべき総ＡＣＫ／ＮＡＣＫ情報のビット数が同一であると、グループ０内のＭＳは、４８ビットのＡＣＫ／ＮＡＣＫ情報の中で、３２ビットは第１のＲＬタイムスロットを介して送信し、１６ビットは第２のタイムスロットを介して送信する。
【００３８】
一方、グループ１内のＭＳは、グループ０内のＭＳに反して４８ビットのＡＣＫ／ＮＡＣＫ情報の中で、１６ビットは第１のＲＬタイムスロットを介して送信し、３２ビットは第２のＲＬタイムスロットを介して送信する。
【００３９】
その結果、第１及び第２のＲＬタイムスロットを介して送信されるＡＣＫ／ＮＡＣＫ情報の量は、平均的に４８ビットとなり、各ＲＬタイムスロットがほぼ同一の量のＡＣＫ／ＮＡＣＫ情報を送信するロードバランシング効果を持ってくる。
【００４０】
図４は、本発明の第２の実施形態によるＴＤＤ基盤のＯＦＤＭＡシステムにおけるＲＬタイムスロットを介してＡＣＫ／ＮＡＣＫ情報を送信する方法を示す図である。
【００４１】
ＴＤＤ比率値からＦＬタイムスロットの個数がＲＬタイムスロットの個数で割り切れない場合には、図３のように、ＴＤＤ比率値が３：２である場合を例に挙げると、提案された方法は、連続した２個のＲＬタイムスロットが１．５個のＦＬインターレースに関するＡＣＫ／ＮＡＣＫ情報を送信するようにする。３個のＦＬインターレース＃０乃至＃２の中でインターレース＃１を介して送信されたデータパケットに関するＡＣＫ／ＮＡＣＫ情報の場合に、例えば、合計３２個のタイルの中で最初の１／２のリソース領域に対応するリソースの割り当てを受けるＦＬデータ送信に対応するＡＣＫ／ＮＡＣＫ情報は、第１のＲＬタイムスロットを介して送信され、残りの１／２のリソース領域に属しているリソースを使用するＦＬ送信に対応するＡＣＫ／ＮＡＣＫ情報は、第２のＲＬタイムスロットを用いて送信されるようにする。
【００４２】
または、例えば、全タイルの中で偶数番目のタイルを使用して送信されるＦＬデータに対応するＡＣＫ／ＮＡＣＫは、第１のＲＬタイムスロットを介して送信されることができ、奇数番目のタイルを使用して送信されるＦＬデータに対応するＡＣＫ／ＮＡＣＫは、第２のＲＬタイムスロットを介して送信されることができる。
【００４３】
したがって、図４に示すように、ＲＬタイムスロットが送信するＡＣＫ／ＮＡＣＫ情報に対応するＦＬインターレースが（０，１ｈ）であると仮定すると、対応するＲＬタイムスロットがＦＬインターレース＃０を介して送信されるすべてのパケットと、ＦＬインターレース＃１を介して送信されるパケットの１／２のデータに対応するＡＣＫ／ＮＡＣＫ情報とを送信することを意味する。この場合に、送信される総パケットの中で１／２ずつ２つのＲＬタイムスロットを使用するＡＣＫ／ＮＡＣＫ情報に対応するＦＬインターレースは、連続した複数のＦＬインターレースの中で固定されたインターレースでなく任意のインターレースとしても設定されることができる。したがって、ＡＣＫ／ＮＡＣＫ情報の量が分配されるべきＦＬインターレースに関する情報は、ＢＳとＭＳとの間で予め約束されていると仮定されることもでき、又は、ＢＳによりＬ１／Ｌ２又は上位レイヤーシグナリングを介してＭＳに通知されることもできる。
【００４４】
また、（０，１ｈ）において、下付き文字ｈは、‘ハーフ（half）’を意味する。ＴＤＤ比率が３：２である場合には、２つのＲＬタイムスロットは、ＦＬタイムスロットのロードを半分ずつ分担する。したがって、ＦＬインターレース＃１の場合には、対応するインターレースに関するＡＣＫ／ＮＡＣＫ情報が２つのＲＬタイムスロットに半分ずつ分配され送信される。
【００４５】
図４に示すように、任意のＦＬインターレースを介して送信されるデータパケットに関するＡＣＫ／ＮＡＣＫ情報を連続したＲＬタイムスロットの数で割ったＡＣＫ／ＮＡＣＫ情報の量が各ＲＬタイムスロットを介して送信される場合に（図４において、連続したＲＬタイムスロットの数が２であるので、任意のＦＬインターレースに対応するＡＣＫ／ＮＡＣＫ情報を各ＲＬタイムスロットで半分ずつ送信する）、同一のサイズに分けられたＡＣＫ／ＮＡＣＫ情報の量が正の整数でない場合には、ＲＬタイムスロット間のＡＣＫ／ＮＡＣＫ情報量の差が最小となるように各ＲＬタイムスロットが送信するＡＣＫ／ＮＡＣＫ情報の量を正の整数に設定する。例えば、図４に示すように、ＴＤＤ比率値が３：２である場合に、ＦＬデータ送信に対して合計２３ビットのＡＣＫ／ＮＡＣＫを送信すると仮定すると、ＲＬタイムスロット当たりの１１．５ビットとなり、正の整数でないので、任意の１個のＲＬタイムスロットには１１ビットのＡＣＫ／ＮＡＣＫを送信し、残りの１個のＲＬタイムスロットには１２ビットのＡＣＫ／ＮＡＣＫ情報を送信するようにする。連続したＲＬタイムスロットの個数が任意のｎ個である際に、Ｍ＝（送信すべき総ＡＣＫ／ＮＡＣＫ情報の量）ｍｏｄ ｎで定義すると、次のように、各ＲＬタイムスロットが送信しなければならないＡＣＫ／ＮＡＣＫ情報の量は、Ｍ値に従って最終的に決定される。
【００４６】
− Ｍ＝０である場合に、各ＲＬタイムスロットは、同一の正の整数に対応するＡＣＫ／ＮＡＣＫ情報を送信する。
【００４７】
− Ｍ＝１である場合に、任意の１個のＲＬタイムスロットが残りのタイムスロットに比べて１ビットさらに多くのＡＣＫ／ＮＡＣＫ情報を送信する。
【００４８】
− Ｍ＝２である場合に、任意の２個のＲＬタイムスロットが残りのタイムスロットに比べて１ビットさらに多くのＡＣＫ／ＮＡＣＫ情報を送信する。
【００４９】
− Ｍ＝ｎ−１である場合に、任意の（ｎ−１）個のＲＬタイムスロットが残りのタイムスロットに比べて１ビットさらに多くのＡＣＫ／ＮＡＣＫ情報を送信する。
【００５０】
ここで、Ｍ値が０でない場合には、ＲＬタイムスロット間のＡＣＫ／ＮＡＣＫ情報量の差が最小となるように各ＲＬタイムスロットが送信するＡＣＫ／ＮＡＣＫ情報の量を正の整数に設定することもでき、又は特定のＲＬタイムスロットだけに多い量のＡＣＫ／ＮＡＣＫを送信し、残りのＲＬタイムスロットには、同一の正の整数に対応するＡＣＫ／ＮＡＣＫ情報の量を送信するようにすることもできる。この際に、さらに多くのＡＣＫ／ＮＡＣＫ情報を送信するＲＬタイムスロットに関する情報は、ＢＳとＭＳとの間で予め約束されることもでき、又はＢＳによりＬ１／Ｌ２又は上位レイヤーシグナリングを介してＭＳに通知されることもできる。
【００５１】
図５は、本発明の実施形態による送信器の動作を示すフローチャートである。
【００５２】
まず、ステップ５０１で、ＢＳは、ＦＬデータ送信を要求するＭＳのためにデータチャネルに関するスケジューリング情報を生成し、使用するＴＤＤ比率値を決定する。ここで、ＴＤＤ比率値は、個別のブロードキャスティングチャネル又は物理チャネルを介してＭＳに送信され、ＢＳは、ステップ５１３で、制御チャネル及びデータチャネルを送信する際にＴＤＤ比率値をともに送信することができる。
【００５３】
この後に、ＢＳは、ステップ５０３で、ＴＤＤ比率が３：２であるかを確認する。すなわち、ＢＳは、ＴＤＤ比率値からＦＬタイムスロットの個数がＲＬタイムスロットの個数で割り切れることができるか否かを確認する。ＴＤＤ比率が３：２ではない場合に、ＢＳは、本発明を適用せず、ステップ５１３に進み、スケジューリング情報及び制御情報を含む制御チャネルとともにデータチャネルをＭＳに送信する。
【００５４】
しかしながら、ＴＤＤ比率が連続したＲＬタイムスロットの個数が１より大きいことを示す場合に、例えば、図３及び図４に示すように、ＴＤＤ比率値が３：２である場合に、ステップ５０５で、ＢＳがロードバランシングを実現するために個別の１ビットシグナリングを用いてＭＳグルーピングを行うか否かを決定し、対応する情報をＭＳに提供する。すなわち、ＢＳがＭＳグルーピングを介してロードバランシングを得ようとする場合には、ＢＳは、ステップ５０７で、グルーピングモードインデックスを‘０’に設定し、このグルーピングモードインデックスをＭＳに送信することにより、ＭＳがＭＳグルーピングの実行を感知することができるようにする。また、ＢＳがプリフィックス方式によりグループを決定しなければ、ＢＳは、ステップ５１１で、グルーピング情報を生成する。ここで、‘グルーピング情報’は、各ＭＳがどのグループに属しているかを示すグループインデックス情報を意味する。このグループインデックス情報は、上位レイヤーシグナリングを使用してＭＳに送信されることもでき、又はＬ１／Ｌ２シグナリングを介してＭＳに送信されることもできる。このグループインデックス情報がＬ１／Ｌ２シグナリングを介して送信される場合に、スケジューリング情報及びグループインデックス情報を含む制御チャネルは、データチャネルとともにＭＳに送信される。
【００５５】
しかしながら、ステップ５０５で、ＢＳがＭＳグルーピングを実行しないと判定する場合、すなわち、グルーピングモードインデックスが‘１’に設定される場合には、ステップ５０９で、ＭＳグルーピングを使用せずロードバランシング効果を得ようとするＢＳは、グルーピングモードインデックスを‘１’に設定し、このグルーピングモードインデックスをＭＳに送信する。その後に、ＢＳは、スケジューリング情報を含む制御チャネル及びデータチャネルを直接に送信する。
【００５６】
図５で説明したように、ＭＳグルーピングを用いてロードバランシングをなすための方法（グルーピングモードインデックス０の送信）及びＭＳグルーピングを使用せずにロードバランシング効果を得るための方法（グルーピングモードインデックス１の送信）の中でＢＳがロードバランシング方式を選択することができるが、ＢＳは、点線で示されたブロック内の過程を考慮せず、ロードバランシングのための２種類の方法の中の１つを決定することができる。すなわち、ＢＳがＭＳグルーピングを適用することによりロードバランシングを達成しようとする場合には、ＢＳは、グルーピングモードインデックスを送信する必要はなく、グループインデックス情報を含む制御チャネル及びデータチャネルをＭＳに送信するだけでよい。一方、ＢＳがＭＳグルーピングを使用せずにロードバランシングを達成しようとする場合には、ＢＳは、ＭＳへの個別のシグナリングを実行しなくてもよい。
【００５７】
図６は、本発明の実施形態による受信器の動作を示すフローチャートである。
【００５８】
ステップ６０１で、ＭＳは、個別のブロードキャスティングチャネル又は物理チャネルを介してＴＤＤ比率情報を受信し、受信されたこのＴＤＤ比率情報を復調する。ステップ６０３で、ＭＳは、ＢＳが送信したグルーピングモードインデックス情報を受信し復調する。この後に、ステップ６０５で、ＭＳは、この復調されたグルーピングモードインデックス値が‘０’であるか否かを判定する。この復調されたグルーピングモードインデックス値が‘０’である場合に、ステップ６０７で、ＭＳグルーピングを使用するＭＳは、制御チャネルに含まれているグループインデックス情報を復調する。各ＭＳが属しているＭＳグループがこの復調されたグループインデックス情報に従って決定される場合に、ＭＳは、ステップ６０９で、ＢＳとＭＳとの間で予め定義された通りに、又はＢＳが個別のシグナリングを介して通知された通りに、ＲＬタイムスロットの間に割り当てられたＡＣＫ／ＮＡＣＫ情報量の比率を設定する。例えば、本発明の第１の実施形態に従って、グループ０に属しているＭＳは、２個のＲＬタイムスロットに割り当てられるＡＣＫ／ＮＡＣＫ情報の比率値を２：１に設定し、グループ１に属しているＭＳは、２個のＲＬタイムスロットに割り当てられるＡＣＫ／ＮＡＣＫ情報量の比率を１：２に設定する。
【００５９】
もう１つの例として、ＭＳは、ＡＣＫ／ＮＡＣＫ送信比率を特定値に設定する。すなわち、ＭＳは、連続した２個のＲＬタイムスロットが１．５個のＦＬインターレースに関する均等な量のＡＣＫ／ＮＡＣＫ情報を送信するようにする。また、本発明の第２の実施形態に従って、最初の１／２のリソース領域に対応するリソースが割り当てられ送信されるＦＬデータ送信に対応するＡＣＫ／ＮＡＣＫ情報は、第１のＲＬタイムスロットを介して送信され、残りの１／２のリソース領域に属しているリソースを用いるＦＬ送信に対応するＡＣＫ／ＮＡＣＫ情報は、第２のＲＬタイムスロットを用いて送信される。
【００６０】
この後に、ステップ６１１で、ＭＳは、設定されたＡＣＫ／ＮＡＣＫ情報量の比率に従ってＲＬタイムスロット内の特定のリソースでＡＣＫ／ＮＡＣＫ情報を送信する。したがって、任意のＭＳがグループインデックス情報として０を受信すると、ＭＳは、ＦＬインターレース＃０及び＃１に対するＡＣＫ／ＮＡＣＫを第１のＲＬタイムスロット内の特定のリソースを使用して送信する。ここで、ＡＣＫ／ＮＡＣＫに割り当てられるリソースは、ＦＬリソースにより決まるリソースであってもよく（すなわち、ＦＬデータ送信のために使用されたリソースに暗黙的にマッピングされるＲＬリソース）、又はＢＳにより明示的に示されるＲＬリソースであってもよい。
【００６１】
一方、復調されたグルーピングモードインデックス値が‘１’である場合に、ＭＳは、ステップ６１３に進み、ＭＳグルーピングを使用しないものと決定し、グループインデックス情報を復調する必要がなく、ＲＬタイムスロットに割り当てられるＡＣＫ／ＮＡＣＫ情報量の比率を均等に設定し、すなわち、３：２のＴＤＤ比率を使用するシステムは、各ＲＬタイムスロットがＦＬデータ送信に対応するＡＣＫ／ＮＡＣＫ情報量の１／２に対応する量を送信するように２個のＲＬタイムスロットに対して１．５：１．５の比率を設定する。その後に、ステップ６１１で、第１のＲＬタイムスロットを介しては、ＭＳは、ＦＬインターレース＃０を介して送信されるデータに割り当てられた全リソースとＦＬインターレース＃１を介して送信されるデータに割り当てられたリソースの１／２に対応するリソースに暗黙的にマッピングされるＲＬリソースとを介してＡＣＫ／ＮＡＣＫ情報を送信する。また、第２のＲＬタイムスロットを介しては、ＭＳは、ＦＬインターレース＃２を介して送信されるデータに割り当てられた全リソースとＦＬインターレース＃１を介して送信されるデータに割り当てられたリソースの残りの１／２に対応するリソースに暗黙的にマッピングされるＲＬリソースとを介してＡＣＫ／ＮＡＣＫ情報を送信する。
【００６２】
図７は、本発明の実施形態による送信器の構成を示すブロック図である。
【００６３】
送信器は、システム情報変調部７１０と、制御情報変調部７２０と、データ情報変調部７３０と、多重化部７４０と、送信部７５０とを含む。
【００６４】
システム情報変調部７１０は、ＴＤＤ比率値を含むシステム関連情報が生成され、この生成されたシステム関連情報のＣＲＣ（Cyclic Redundancy Check）添付、符号化、チャネルインターリービング、反復、スクランブリング、及び変調過程を行うことによりブロードキャスティングチャネルを形成する。
【００６５】
制御情報変調部７２０は、ＦＬ／ＤＬデータ送信のためのスケジューリング情報及び送信グループインデックス情報のＣＲＣ添付、スクランブリング、符号化、チャネルインターリービング、反復、及び変調過程を行うことにより制御チャネルを構成する。
【００６６】
データ情報変調部７３０は、ＢＳが上述した過程と類似した過程を介してＭＳに送信しようとするデータに対するデータチャネルを生成する。
【００６７】
多重化部７４０は、システム情報、制御情報、及びデータ情報を多重化する。
【００６８】
送信部７５０は、逆高速フーリエ変換（ＩＦＦＴ）及び多重アンテナ送信のような通常のＯＦＤＭ基盤の移動通信システムの処理過程を介してＯＦＤＭ信号を生成し送信する。
【００６９】
図８は、本発明の実施形態による受信器の構成を示すブロック図である。
【００７０】
受信器は、受信部８１０と、逆多重化部８２０と、システム情報復調部８３０と、制御情報復調部８４０と、データ情報復調部８５０とを含む。
【００７１】
受信器は、図７の送信器の逆順で構成され、受信部８１０は、単一／複数の受信アンテナ及び高速フーリエ変換（ＦＦＴ）のような通常のＯＦＤＭ基盤の移動通信システムの処理過程を介して信号を受信する。
【００７２】
逆多重化部８２０は、受信された信号からブロードキャスティングチャネル、制御チャネル、及びデータチャネルを逆多重化する。
【００７３】
システム情報復調部８３０は、送信器のシステム情報変調部７１０で行われた一連の過程を逆に実行することにより、すなわち、逆多重化部８２０から抽出されたブロードキャスティングチャネルの復調、結合、チャネルデインターリービング、デスクランブリング、及びＣＲＣ検査を行うことによりシステム情報を復調する。
【００７４】
制御情報復調部８４０及びデータ情報復調部８５０は、制御情報及びデータ情報に対して送信器の制御情報変調部７２０及びデータ情報変調部７３０で行われた一連の過程を逆に実行することにより制御情報及びデータ情報を復調する。また、本発明の第１の実施形態によれば、制御情報復調部８４０及びデータ情報復調部８５０は、所定の時間間隔の間にＦＬ及びＲＬを介して送信したデータの量に従って各リンクに割り当てられたタイムスロットの個数の比率を示すＴＤＤ比率値及びグルーピングインデックス情報をＢＳから受信し、ＴＤＤ比率値及びグループインデックス情報に従って連続したＲＬタイムスロットに割り当てられたＡＣＫ／ＮＡＣＫ送信比率を決定し、この決定されたＡＣＫ／ＮＡＣＫ送信比率に従って連続したＦＬタイムスロットを介して送信したデータに関するＡＣＫ／ＮＡＣＫ情報を割り当てる。
【００７５】
図示していないが、送信部は、連続したＲＬタイムスロットを介して割り当てられたＡＣＫ／ＮＡＣＫ情報を送信する。
【００７６】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７７】
７１０  システム情報変調部
７２０  制御情報変調部
７３０  データ情報変調部
７４０  多重化部
７５０  送信部
８１０  受信部
８２０  逆多重化部
８３０  システム情報復調部
８４０  制御情報復調部
８５０  データ情報復調部
【図１】
2010537545.tif 000003
【図２】
2010537545.tif 000004
【図３】
2010537545.tif 000005
【図４】
2010537545.tif 000006
【図５】
2010537545.tif 000007
【図６】
2010537545.tif 000008
【図７】
2010537545.tif 000009
【図８】
2010537545.tif 000010
【国際調査報告】
2010537545.tif 000011
2010537545.tif 000012